(57)【要約】  開示内容はＯＦＤＭＡ−ＴＤＭＡ無線インターネットシステムの端末であって伝送遅延を短縮でき、上向データのＱｏＳを確保するものと、パケット伝送方式である。この端末のＭＡＣ階層はＭＡＣソフト部とＭＡＣハード部に分けられて、データパケットの優先順位を上位レベルと下位レベルに制御する。上位レベル優先順位制御部は種々の精密制御操作を実行するためＱｏＳ方針に従い、下位レベル優先順位制御部は機構的制御操作を予め定められた単純な固定優先順位方針に従い実行する。
2007517453.tif 000002
【特許請求の範囲】
【請求項１】
ＯＦＤＭＡ−ＴＤＭＡ基盤の無線インターネット端末装置において、
ＱｏＳ方針に関する情報が貯蔵されているＱｏＳプロファイル部；
伝送するデータを前記ＱｏＳ方針に従って分類する分類部；
分類されたデータを前記ＱｏＳ方針に従って優先順位を付与する第１優先順位制御部を含む第１モジュール；
前記第１優先順位が付与されたデータからＰＤＵを生成するＰＤＵ生成部；
前記生成されたＰＤＵに、予め定められた方針に従った優先順位を定める第２優先順位制御部；
前記各種優先順位が決められたＰＤＵを、割当てられた帯域幅に配置して伝送する伝送部を含む第２モジュール；
を含む無線インターネット端末装置。
【請求項２】
前記第１モジュールは、前記分類部によって分類されたデータの受諾又は廃棄を決める受諾制御部をさらに含む、請求項１に記載の無線インターネット端末装置。
【請求項３】
前記第１モジュールは、
前記分類部によって分類されたデータを区分して貯蔵するＱｏＳキュー；
前記受諾制御部によって受諾されたデータを優先順位別に区分して貯蔵する優先順位キューをさらに含む、請求項２に記載の無線インターネット端末装置。
【請求項４】
前記第１モジュールは、ＭＡＣ階層でソフトウェア的に実現される、請求項３に記載の無線インターネット端末装置。
【請求項５】
前記第２モジュールは、
第２優先順位制御部によって付与された優先順位に従ってＰＤＵを順に貯蔵する整列キューをさらに含む、請求項１に記載の無線インターネット端末装置。
【請求項６】
前記ＰＤＵはＭＡＣ  ＰＤＵであり、
前記第２優先順位制御部は、前記ＱｏＳプロファイルから独立して、前記ＭＡＣ  ＰＤＵをＡＣＫパケット、管理メッセージ用パケット、使用者データパケットの順に優先順位を付与する、請求項５に記載の無線インターネット端末装置。
【請求項７】
前記第２モジュールは、ＭＡＣ階層でハードウェア的に実現される、請求項６に記載の無線インターネット端末装置。
【請求項８】
無線インターネット端末装置のパケット伝送方法において、
ＱｏＳ方針に従ってデータを分類し、貯蔵する段階；
前記ＱｏＳ方針に従って前記分類されたデータに対して第１優先順位を付与する段階；
前記第１優先順位が付与されたパケットをキューに貯蔵し、優先順位に従って順に出力する段階；
前記ＱｏＳ方針からは独立して、前記パケットの特性によって前記パケットに第２優先順位を付与する段階；
前記第２優先順位に従って前記パケットを順に整列させ、割当てられた帯域幅に配置させる段階；
を含むパケット処理方法。
【請求項９】
前記データ分類段階によって分類されたデータの受諾又は廃棄を決める受諾制御段階をさらに含む、請求項８に記載のパケット処理方法。
【請求項１０】
前記分類段階、受諾制御段階、第１優先順位付与段階はソフトウェア的に実現され、
第２優先順位付与段階及びパケット配置段階はハードウェア的に実現される、請求項９に記載のパケット処理方法。
【請求項１１】
ＱｏＳ方針に基づいて、パケットに第１優先順位を付与し、前記第１優先順位が付与されたパケットのパケット情報によって第２優先順位を付与して、上向伝送する無線端末装置に利用されるプログラムが記録された記録媒体において、
ＱｏＳ方針をＱｏＳプロファイルとして貯蔵する機能；
前記ＱｏＳ方針に従ってデータを分類して貯蔵する機能；
前記分類されたデータを受諾するか廃棄するかを決める受諾制御機能；
前記ＱｏＳ方針に従って前記受諾されたデータに対して第１優先順位を付与する機能；を含むプログラムが記録されたコンピュータが読取り可能な記録媒体。
【発明の詳細な説明】
【技術分野】
【０００１】
本発明は、ＱｏＳ（Quality  of  service：サ-ビス品質）を保障しながら、パケット伝送遅延時間を縮減するための無線インターネット端末装置及びパケット伝送方法に関し、特に、ＯＦＤＭＡ−ＴＤＭＡを使用する無線インターネットシステムにおいて、端末が上向（uplink）データを伝送する際、生じる遅延を最小化するように考案された端末媒体接近制御（ＭＡＣ）階層の構成に関するものである。
【背景技術】
【０００２】
ＯＦＤＭＡ−ＴＤＭＡシステムは、変復調においてはＯＦＤＭを使用し、使用者多重化においてはＴＤＭＡを使用するシステムである。このＯＦＤＭＡ−ＴＤＭＡシステムは、帯域幅を管理し、スケジューリングする調整者（Coordinator）があって、データの伝送が必要な端末が帯域幅（Bandwidth）を要求すれば、これを受け付けた調整者が帯域幅を割り当て、以降、端末は割当てられた帯域幅にデータを送る手続を行う。
【０００３】
図１は、無線インターネットのシステムの階層を示したものである。無線インターネットは大別して、物理階層１００、ＭＡＣ階層２００、ネットワーク階層３００に区分できる。前記階層は、第１階層（Ｌ１）、第２階層（Ｌ２）、第３階層（Ｌ３）と呼ばれることもあり、必要に応じて上位階層をさらに設定することができる。
【０００４】
前記物理階層１００は、変調方式や多重接続ＲＦ処理などを管理し、前記ＭＡＣ階層２００は、住所指定、アクセス調整、フレームチェックなど、前記物理階層のアクセス制御機能を担当する。ネットワーク階層３００は、ルウティングや混雑制御（congestion  control）などを担当する。前記階層１００、２００、３００は、サービス接近点（ＳＡＰ）１０、２０を通して階層間の動作を制御する。
【０００５】
図２は、通常のＯＦＤＭＡ−ＴＤＭＡシステムのフレーム構造を示す。この図によれば、ＭＡＰ１０１はＭＡＣ階層メッセージであって、端末によって割当てられた資源及びサブチャンネルの個数を定義し、以降に繋がる下向バースト（ＤＬ−ＢＵＲＳＴ）１０２と上向バースト（ＵＬ−ＢＵＲＳＴ）１０３内の各要素を指定するインデックスの役割を果たす。前記ＭＡＰ１０１は、リンク方向によって上向ＭＡＰ（ＵＬ−ＭＡＰ）、下向ＭＡＰ（ＤＬ−ＭＡＰ）に区分される。
【０００６】
仮に、或る端末が予めＯＦＤＭＡ−ＴＤＭＡシステムに特定の帯域幅を要求したとすれば、前記ＯＦＤＭＡ−ＴＤＭＡシステム調整者が、前記フレームに帯域幅を割り当てる。そうすると、端末はＭＡＰ１０１を分析して、自身に割当てられた帯域幅があることを確認した後、ＭＡＰ１０１が指示している帯域幅割り当て区間１０４にデータを伝送するようになる。
【０００７】
ＭＡＣは、ＲＦとモデムを担当する物理階層の上部に位置するプロトコルである。ＭＡＣ階層にＭＡＰ１０１データを到着させようとすれば、ＲＦ及びモデムの信号受信に必要な処理を経なければならず、所定遅延時間１０５を生じる。
【０００８】
また、ＭＡＣが所定の間隔に合わせてデータを伝送するためには、ＲＦとモデムの送信に必要な処理を行ってからこそ、電波に伝送できるので、一定の期間の遅延時間１０７の分だけ予め伝送されなければならない。したがって、端末のＭＡＣが、必要なデータを準備する時間は、実際にフレームが開始される時間よりＲＦ／モデム受信遅延時間１０５の分だけ後に開始するようになり、実際のフレーム上で端末が帯域幅を割当てられた時間領域より、ＲＦ／モデム送信遅延時間１０７の分だけ先立って終わらなければならない。
【０００９】
通常、下向バースト（ＤＬ−ＢＵＲＳＴ）１０２対上向バースト（ＵＬ−ＢＵＲＳＴ）１０３の比率が７：３程度であり、モデム／ＲＦ受信遅延時間１０５と送信遅延時間１０７がＤＬ−ＢＵＲＳＴ１０２の１／３程度を占めると見れば、端末がＰＤＵ（Protocol  Data  Unit）を準備するのに与えられる時間は、ＤＬ−ＢＵＲＳＴ１０２が占める全体長さの１／３程度となる。これをフレーム全体の比率に比較すれば７／１０*１／３になり、計算すれば、一つのフレーム時間の約１／４程度となる。これは非常に短い時間であり、一つのフレームの長さを５ｍｓｅｃとした場合、１.３５ｍｓｅｃ程度となる。
【００１０】
一方、端末がデータを伝送する際、データの特性による差別送信、つまり、ＱｏＳに基盤した送信が行われなければならない。ＱｏＳとは、ネットワークトラフィック量を減らしたり、いくらかの帯域幅を予め予約する方法を提供するネットワークの能力を意味する。ネットワーク管理者等は色々な方面からこれらのネットワークにＱｏＳを提供する。ＱｏＳが必ずしも帯域幅の１００％保障又はパケット損失率の０％を意味するわけではない。しかし、ネットワーク管理者等は、ＱｏＳを通して、特定のトラフィックをより迅速に伝送したり、又はネットワーク帯域幅を予約する方法により、ＱｏＳを使用しない以前より向上した方法によってトラフィックの伝送を管理する。
【００１１】
ＱｏＳに関する技術、例えば、ＩＥＥＥ  ８０２.１ｐ、差別化サービス（Differential  Service）、ＲＳＶＰ（Resource  Reservation  Protocol）、ＩＰ多重化など、多様な技術が既に公開されている。
【００１２】
ＱｏＳのためには、伝送するデータを分類し、データの重要度や緊急性などの特性を勘案して優先順位を決めて、順位の高い順に伝送しなければならない。この時、ＱｏＳ特性を含んでいるプロファイルを参照して、内部のアルゴリズムを随行させるようになる。このような作業は複雑度の高い作業であるため、ソフトウェア（Ｓ／Ｗ）で処理するのが一般的である。
【００１３】
しかし、前述のように、端末が帯域幅の割り当てを認知した後からそこにデータを伝送するまでの時間が非常に短時間であるため、Ｓ／Ｗでその時間内でＱｏＳ基盤の伝送を行うのは難しい。しかし、これを全てハードウェア（Ｈ／Ｗ）で処理するのであれば時間は合わせられるが、Ｈ／Ｗの特性上、多様で細かい制御は期待し難しい。
【００１４】
更に、調整者が帯域幅要請に対する帯域幅の割り当てを、現在フレーム内ではなく次のフレームで行われるように方針を行うと、端末に与えられる時間は一つのフレーム延長されるのでＳ／Ｗで処理可能であろうが、反面、データの伝送がその分だけ遅延するという短所がある。これは、上位アプリケーションプログラムの品質を落とす要因となり、リアルタイム応用の場合には深刻な問題を誘発する恐れもある。
【００１５】
以上のように、ＯＦＤＭＡ−ＴＤＭＡシステムにおいて、端末が上向データに対してＱｏＳに基盤した伝送を行うために、これをＳ／Ｗで処理する場合及びＨ／Ｗで処理する場合の全てが問題点を有している。
【発明の開示】
【発明が解決しようとする課題】
【００１６】
本発明は、前記のような問題点を解決するために発明されたものであって、ＱｏＳの特性をよく反映すると同時に、与えられた時間に対する制約を満たす端末ＭＡＣ階層の構造を有する無線インターネットシステム及びパケット伝送方法を提供する。
【課題を解決するための手段】
【００１７】
前述の技術的課題を達成するために、本発明の特徴によるＯＦＤＭＡ−ＴＤＭＡ基盤の無線インターネット端末装置は、ＱｏＳ方針に関する情報が貯蔵されているＱｏＳプロファイル部；伝送するデータを前記ＱｏＳ方針に従って分類する分類部；分類されたデータを前記ＱｏＳ方針に従って優先順位を付与する第１優先順位制御部を含む第１モジュール；前記第１優先順位が付与されたデータからＰＤＵを生成するＰＤＵ生成部；前記生成されたＰＤＵを予め定められた方針に従って優先順位を決める第２優先順位制御部；前記諸優先順位が決められたＰＤＵを、割当てられた帯域幅に配置して伝送する伝送部を含む第２モジュール；を含む。
【発明の効果】
【００１８】
本発明の構成によるＯＦＤＭＡ−ＴＤＭＡ基盤の無線インターネットシステムの端末のＭＡＣ構造は、複雑であり多様なＱｏＳの特性を満足させながらも、パケットの遅延を除去できるという著しい効果が得られる。
【発明を実施するための最良の形態】
【００１９】
添付の図面は、組み込まれて本明細書の一部となり、本発明の実施例を描写し,記述と一体になって、本発明の原理を説明するための手助けをする。
以下、本発明の属する技術分野における通常の知識を有する者が容易に実施できるように、本発明の実施例について添付した図面を参照して詳細に説明する。しかし、本発明は多様な相違した形態で実現でき、ここで説明する実施例に限定されない。図面において、本発明を明確に説明するために、説明と関係ない部分は省略しており、明細書全体を通じて同一又は類似な構成要素については同一図面符号を付けた。次に、本発明の実施例による無線インターネットシステムについて、図面を参照して詳細に説明する。
【００２０】
図３は、本発明の実施例による無線インターネットシステムの端末ＭＡＣの構成を示したブロック図である。ここでの構造は、ＭＡＣの制御平面（Control  Plane）の部分は省略し、使用者平面（User  Plane）の部分のみを示した。上向データの流れは基本的に、ネットワーク階層３００から始まってＭＡＣ２００を経て、モデム／ＲＦ１００を通して伝送される。
【００２１】
本発明の基本構造は、ＭＡＣのＱｏＳ機能を、ＭＡＣソフトウェア部（Ｓ／Ｗ）とＭＡＣハードウェア部（Ｈ／Ｗ）とに分担して処理することである。本発明のＭＡＣの基本構造は、分類部２１１、受諾制御部２１２、上位レベル優先順位制御部２１３を備えたＭＡＣソフトウェア部２１０及びＰＤＵ生成部２２１、下位レベル優先順位制御部２２２、伝送部２２３を備えたＭＡＣハードウェア部２２０を含む。また、本発明の実施例は、ＱｏＳ方針を貯蔵したＱｏＳプロファイル部２１６を含む。前記ＭＡＣソフトウェア部２１０及びＭＡＣハードウェア部２２０は、各々モジュール形態に実現されることができる。
【００２２】
さらに詳しく説明すれば、考慮する要素が多様であり精密であって複雑度が高いという部分はＭＡＣＳ／Ｗ２１０が処理するようにし、機械的であり単純であって相対的に複雑度が低い部分はＭＡＣＨ／Ｗ２２０が処理するようにする。したがって、ＭＡＣＳ／Ｗ２１０は、前述の制約時間と関係なく動作しながら、長い観点（Long-Term）でのＱｏＳ基盤優先順位を決めるようになり、ＭＡＣＨ／Ｗ２２０は、与えられた制約時間に敏感に動作しながら、短い観点（Short-Term）でのＱｏＳ基盤優先順位を決めるようになる。
【００２３】
ＭＡＣＳ／Ｗ２１０は、到着したデータをＱｏＳ別に分類する機能を含んでいる分類部（Classifier）２１１と、ネットワーク状況によって、重要度の低いデータを廃棄する機能を含んでいる受諾制御部（Admission  Control）２１２、受諾制御を通過したデータを対象にＱｏＳ方針に従う優先順位を決め、順位別に差等送出をする機能を含んでいる上位レベル優先順位制御部（High  Level  Priority  Control）２１３などの要素で構成される。これらの要素は、機能遂行のために、ＱｏＳ特性に従う情報を含んでいるＱｏＳプロファイル２１６を参照する。
【００２４】
ＭＡＣＨ／Ｗ２２０は、ＭＡＣ  ＰＤＵを生成するＰＤＵ生成部２２１、生成されたＭＡＣ  ＰＤＵを対象に固定された方針に従う優先順位を決め、順位別に差等送出をする機能を含んでいる下位レベル優先順位制御部（Low  Level  Priority  Control）２２２、そして下位階層のモデム／ＲＦ１００とインターフェースを行いながら、実際的な伝送を担当する伝送部（Transmitter）２２３などの要素で構成される。
【００２５】
以下、本発明の実施例による端末ＭＡＣ階層の構成をさらに詳しく説明する。
図４は、本発明の実施例によるＭＡＣソフトウェア部２１０の構造を示したブロック図である。本発明の実施例において、ＭＡＣＳ／Ｗ２１０は、前述の分類部２１１、受諾制御部２１２、優先順位制御部２１３に加えて、内部的に２種類のキューを運営するが、一つは、データをＱｏＳ別に区分してパケット単位で貯蔵しておくＱｏＳキュー２１４と、受諾制御部２１２を通過したデータを対象に優先順位別に区分して、パケットを貯蔵しておく優先順位キュー２１５とがそれである。以下、各々の構成要素と連結管系及び動作を具体的に説明する。
【００２６】
分類部２１１は、ネットワーク階層からのパケットを、実施例により選択したＱｏＳプロファイル２１６によって分類して、ＱｏＳキュー２１４に選択的に貯蔵して待機させる。前記ＱｏＳキュー２１４にはパケットトラフィックの種類が識別されて、他のＱｏＳキュー２１４に待機するようになる。例えば、ＱｏＳプロファイル部２１６の情報から、音声データ、バーストデータ、相異なるトラフィック特性を有するデータは、そのＱｏＳ方針に合うようにＱｏＳキュー２１４に貯蔵され、待機されることができる。
【００２７】
前記ＱｏＳキュー２１４からのパケットは、受諾制御部２１２で前記データ伝送を受諾するか廃棄するかを判断して、優先順位キュー２１５に選択的に貯蔵される。前記受諾制御部２１２は、現在呼の使用可能なトラフィック状態と前記ＱｏＳ方針に従って、パケットを優先順位キュー２１５に選択的に保存させる。
【００２８】
上位レベル優先順位制御部２１３は、前記優先順位キュー２１５に貯蔵されたパケットを、ＱｏＳ方針に符合するように優先順位を付与する。前記優先順位は、前記ＱｏＳ方針に基づいて与えられるものであって、例えば、リアルタイム伝送が重要な音声データは、伝送遅延が許容されるｅ−ｍａｉｌ用データよりさらに高い優先順位が与えられて伝送される。
このように、ＭＡＣＳ／Ｗ２１０は、時間に敏感ではない機能を遂行すると共に、ＱｏＳ特性を反映させ、多様な細かい定を下す。
【００２９】
図５は、本発明の実施例によるＭＡＣ階層のＭＡＣハードウェア部２２０の構成を示したブロック図である。ＭＡＣＳ／Ｗ２１０で、上位レベル優先順位制御が終わったパケットは、順位によりＭＡＣＨ／Ｗ２２０に伝送される。ＰＤＵ生成部２２１は、前記パケットに付加情報を付加してＭＡＣ  ＰＤＵを生成し、生成されたＭＡＣ  ＰＤＵは、下位レベル優先順位制御部２２２によって順に整列キュー２２４に整列し、待機する。
【００３０】
前記整列キュー（Sorting  Queue）２２４は、上部で生成されたＰＤＵを固定された優先順位方針に基づいて整列させ、維持させる。
例えば、固定された優先順位方針は、ＡＣＫ用パケット、管理メッセージ用パケット、使用者データパケットの順に機械的に優先順位を付与することである。つまり、下位レベルの優先順位制御部２２２は、ＱｏＳプロファイルを参照しなくて優先順位制御が可能な、機械的であり低水準の方針に基づいて優先順位制御を行う。前記整列キュー２２４には、最も優先順位の高いパケットは下に位置し、優先順位が低いパケットは上に位置する。
【００３１】
優先順位制御部２２２によって整列したＰＤＵは、帯域幅が割当てられれば、整列キューの下側から順に抽出して割当てられた帯域幅を満たす。例えば、一つのフレーム４２０において、上向ＭＡＰ（ＵＬ−ＭＡＰ）１１０上で端末に対する帯域幅の割り当て４１１が感知されたとすれば、ＭＡＣＨ／Ｗ２２０は、割当てられた帯域幅の長さを超えない範囲内で整列キューに待機しているＰＤＵを、優先順位の高い順に抽出して（ＰＤＤａ、ＰＤＵｂ、ＰＤＵｃ）、割当てられた帯域幅（ＢＷｐ）に位置させる。
伝送部２２３は、このようにＰＤＵｓで満たされた割当て帯域幅を持つフレーム４２０を送信する。
【００３２】
以上のように、本発明の実施例では、ＭＡＣＳ／Ｗ２１０とＭＡＣＨ／Ｗ２２０の２段階に亘った優先順位制御により、ＱｏＳに基盤した多様な優先順位制御も可能にすると共に、上向ＭＡＰ以降、ＭＡＣに与えられた時間的な制約条件を克服することができるので、遅延のないパケットの伝送が行われることができる。
【００３３】
図６は、本発明の実施例によるパケット処理方法の一部を示したフローチャートである。
前述の無線インターネットシステムにおいて、ネットワーク階層から伝送されてきたデータパケットは、段階（Ｓ１００）でＱｏＳ方針に従って分類される。前記ＱｏＳ方針は、現在の通信環境において帯域幅活用率を最高にし、パケット損失率を最低にする方針であって、ＱｏＳプロファイルに基づいて反映する。
【００３４】
段階（Ｓ１１０）では、前記ＱｏＳ方針に従って分類されたデータをＱｏＳキューに貯蔵して待機させる。前記ＱｏＳキューは、相異なるＱｏＳ方針に従って分類されたデータが相異なる待機列に順に貯蔵される。
【００３５】
段階（Ｓ１２０）では、前記ＱｏＳに貯蔵されたキューに対して受諾するか否かを判断する。前記受諾制御アルゴリズムは、現在呼状態とデータ特性を参照して伝送するか否かを判断する。データが受諾されなかった場合にはデータは廃棄され、受諾されたデータは次の段階に移動する。
【００３６】
段階（Ｓ１３０）では、ＱｏＳ方針に従って分類され、伝送が受諾されたデータは、ＱｏＳ方針に従って優先順位が付与される。この時には、トラフィック特性とＱｏＳプロファイルを規定するＱｏＳ能力に適するように重要度と緊急性を考慮し、ソフトウェア的な処理を経て優先順位が付与される。
【００３７】
前述のように優先順位が付与されたパケットは、その優先順位に従って再び分類及び保存されて、優先順位キューに順に貯蔵される（Ｓ１４０）。貯蔵されたパケットは、優先順位の高い順にデータＭＡＣハードウェア部に移動するようになる（Ｓ１５０）。
【００３８】
図７は、本発明の実施例によるパケット処理方法の他の一部を示したフローチャートである。
前記ＭＡＣソフトウェア部において、ＱｏＳ方針に従って優先順位が付与されたパケットは、その優先順位に従ってＭＡＣハードウェア部に伝送されて整列される。ここで、伝送されたパケットは、機械的な処理を経て整列キューに整列される。前記機械的処理は、パケット内のヘッダーや識別子などを通じて、優先順位が高い順に機械的に整列される（Ｓ２００）。
【００３９】
その後、ＭＡＰの指示により帯域幅が割当てられれば、前記割当てられた帯域幅に整列したパケットを機械的に配置する（Ｓ２１０、Ｓ２２０）。したがって、ＭＡＰの指示を認知した後には、別途のＱｏＳを考慮する必要なく、比較的に短い時間内に割当てられた帯域幅にパケットを配置するようになる。
【００４０】
段階（Ｓ２３０）では、割当てられた帯域幅にパケットが配置されれば、物理階層のＰＤＵのフレームを生成して伝送する。前述のように、ＭＡＣハードウェア部でＭＡＰを認知した後からパケットを配置する時間は充分に短いので、以降のフレーム送信のための送信遅延時間もまた充分に確保できる。
【００４１】
以上、本発明の好ましい実施例について詳細に説明したが、本発明の権利範囲はこれに限定されるものではなく、本発明の特許請求の範囲で定義している本発明の基本概念を利用した当業者の色々な変形及び改良形態もまた本発明の権利範囲に属する。
【図面の簡単な説明】
【００４２】
【図１】無線インターネットのシステムの階層を示したものである。
【図２】通常のＯＦＤＭＡ−ＴＤＭＡシステムのフレーム構造を示した図である。
【図３】本発明の実施例による無線インターネットシステムの端末ＭＡＣの構成を示したブロック図である。
【図４】本発明の実施例によるＭＡＣソフトウェア部２１０の構造を示したブロック図である。
【図５】本発明の実施例によるＭＡＣ階層のＭＡＣハードウェア部２２０の構成を示したブロック図である。
【図６】本発明の実施例によるパケット処理方法の一部を示したフローチャートである。
【図７】本発明の実施例によるパケット処理方法の他の一部を示したフローチャートである。
【符号の説明】
【００４３】
１００  モデム／ＲＦ
２００  ＭＡＣ階層
２１０  ＭＡＣソフトウェア部
２１１  分類部
２１２  受諾制御部
２１３  上位レベル優先順位制御部
２１４  ＱｏＳプロファイル
２２０  ＭＡＣハードウェア部
２２１  ＰＤＵ生成部
２２２  下位レベル優先順位制御部
２２３  伝送部
３００  ネットワーク階層
【図１】
2007517453.tif 000003
【図２】
2007517453.tif 000004
【図３】
2007517453.tif 000005
【図４】
2007517453.tif 000006
【図５】
2007517453.tif 000007
【図６】
2007517453.tif 000008
【図７】
2007517453.tif 000009
【国際調査報告】
2007517453.tif 000010
2007517453.tif 000011